(57)【特許請求の範囲】
【請求項１】
乳幼児に装着されたセンサーユニットと通信可能なコンピューターに、
前記センサーユニットから出力された信号を処理して、前記乳幼児の睡眠状態の多さを評価する第１処理、前記センサーユニットから出力された信号を処理して、前記乳幼児の笑っている状態の多さを評価する第２処理、及び前記センサーユニットから出力された信号を処理して、前記乳幼児の動いている状態の多さを評価する第３処理のうちの、少なくとも二つの処理と、
前記コンピューターの画面に、前記乳幼児の気分状態の良さの程度を示す主インジケーターを備えた主アイコンを表示させる処理と、
前記主アイコンがタップ操作された場合に、前記少なくとも二つの処理に基づいて、前記コンピューターの画面に、前記乳幼児の睡眠状態の多さの程度を示す第１インジケーターを備えた第１アイコン、前記乳幼児の笑っている状態の多さの程度を示す第２インジケーターを備えた第２アイコン、及び前記乳幼児の動いている状態の多さの程度を示す第３インジケーターを備えた第３アイコンのうちの、前記少なくとも二つの処理に対応する少なくとも二つのアイコンを表示させる処理と、
を実行させるプログラムであって、
前記主アイコンを表示させる処理において、前記主インジケーターによって示される程度は、前記少なくとも二つのアイコンに備えられた各インジケーターによって示される程度に基づいて決定された程度であることを特徴とするプログラム。
【請求項２】
請求項１に記載のプログラムであって、
前記少なくとも二つの処理は、前記第１処理、前記第２処理、及び前記第３処理であり、
前記少なくとも二つのアイコンは、前記第１アイコン、前記第２アイコン、及び前記第３アイコンであり、
前記主アイコンを表示させる処理において、前記主インジケーターによって示される程度は、前記第１インジケーターによって示される程度、前記第２インジケーターによって示される程度、及び前記第３インジケーターによって示される程度に基づいて決定された程度であることを特徴とするプログラム。
【請求項３】
請求項１又は２に記載のプログラムであって、
前記コンピューターの画面のうち、前記主アイコンを表示させる画面、又は前記第１アイコンと前記第２アイコンと前記第３アイコンのうちの少なくとも二つのアイコンを表示させる画面の、少なくとも一つの画面に、前記乳幼児を写した写真を表示させることを特徴とするプログラム。
【請求項４】
請求項１又は２に記載のプログラムであって、
前記コンピューターの画面のうち、前記主アイコンを表示させる画面、及び前記第１アイコンと前記第２アイコンと前記第３アイコンのうちの少なくとも二つのアイコンを表示させる画面に、前記乳幼児を写した写真を表示させることを特徴とするプログラム。
【請求項５】
請求項２から４のいずれか１項に記載のプログラムであって、
前記第２処理と前記第３処理が同時に実行されており、
前記第２処理によって評価された前記乳幼児が笑っている状態の多さに応じて、
前記第３処理に基づいて表示した前記第３インジケーターの値を変化させることを特徴とするプログラム。
【請求項６】
請求項２から５のいずれか１項に記載のプログラムであって、
前記コンピューターに、前記センサーユニットから出力された信号を処理して、前記乳幼児の笑っている状態の声を前記コンピューターに保存させる処理と、前記コンピューターの画面に前記主アイコンを表示させる前に、ログイン画面を表示させる処理を実行させ、
前記ログイン画面には、ログインのために必要な情報を入力する入力部と、所定の図柄が表されたアイコンが表示され、
前記ログイン画面の前記入力部に前記情報が入力され、前記図柄が表されたアイコンがタップ操作されると、
前記コンピューターに、前記主アイコンを表示させて、前記乳幼児の笑っている状態の声を再生させる処理を実行させることを特徴とするプログラム。
【請求項７】
請求項６に記載のプログラムであって、
前記図柄は、前記乳幼児が使用する吸収性物品に関連付けられたキャラクターを表したものであり、
前記コンピューターに、前記ログイン画面において、前記キャラクターを表したアイコン、前記入力部、及び前記乳幼児の写真を表示させる処理を実行させることを特徴とするプログラム。
【請求項８】
請求項６又は７に記載のプログラムであって、
前記センサーユニットは、マイクを備えており、
前記マイクから出力された信号が所定の条件を満たした場合に、前記乳幼児の笑っている状態の声を再保存することとし、
前記再保存後に、前記ログイン画面の前記図柄のアイコンがタップ操作された場合には、前記コンピューターに、前記再保存した前記乳幼児の笑っている状態の声を再生させる処理を実行させることを特徴とするプログラム。
【請求項９】
請求項２から８のいずれか１項に記載のプログラムであって、
前記センサーユニットは、加速度計及びマイクを備えており、
前記加速度計から出力された信号を処理して、前記乳幼児の睡眠状態の多さを評価する前記第１処理と、
前記加速度計及びマイクから出力された信号を処理して、前記乳幼児の笑っている状態の多さを評価する前記第２処理と、
前記加速度計から出力された信号を処理して、前記乳幼児の動いている状態の多さを評価する前記第３処理を、
前記コンピューターに実行させることを特徴とするプログラム。
【請求項１０】
請求項９に記載のプログラムであって、
前記第１処理は、前記乳幼児の睡眠状態の多さを、所定時間内における、前記乳幼児の睡眠状態の時間に基づいて評価する処理であり、
前記第２処理は、前記乳幼児の笑っている状態の多さを、前記所定時間から前記乳幼児の睡眠状態の時間を除いた時間内における、前記乳幼児の笑っている時間に基づいて評価する処理であることを特徴とするプログラム。
【請求項１１】
請求項１から１０のいずれか１項に記載のプログラムであって、
前記コンピューターの画面に、
前記乳幼児の気分状態の良さの程度を示す前記主インジケーターを備えた前記主アイコンとともに、
前記乳幼児の健康状態の良さの程度を示すインジケーターを備えたアイコンと、
前記乳幼児の安全状態の良さの程度を示すインジケーターを備えたアイコンとを表示させる処理を前記コンピューターに実行させることを特徴とするプログラム。
【請求項１２】
請求項１１に記載のプログラムであって、
前記コンピューターに、前記コンピューターの画面に前記主アイコンを表示させる前に、ログイン画面を表示させる処理を実行させ、
前記ログイン画面には、ログインのために必要な情報を入力する入力部が少なくとも表示され、
前記ログイン後に表示された画面のアイコンの数と、前記主アイコンのタップ操作後に表示された画面のアイコンの数は同じであり、
前記ログイン後に表示された画面のアイコンの配置と、前記主アイコンのタップ操作後に表示されたときに画面のアイコンの配置は異なることを特徴とするプログラム。
【請求項１３】
コンピューターが、乳幼児に装着されたセンサーユニットの検知結果を用いて、前記乳幼児の睡眠状態の多さを評価する第１ステップ、前記コンピューターが、前記センサーユニットの検知結果を用いて、前記乳幼児の笑っている状態の多さを評価する第２ステップ、及び前記コンピューターが、前記センサーユニットの検知結果を用いて、前記乳幼児の動いている状態の多さを評価する第３ステップのうちの、少なくとも二つのステップと、
前記コンピューターが、前記センサーユニットと通信可能なコンピューターの画面に、前記乳幼児の気分状態の良さの程度を示す主インジケーターを備えた主アイコンを表示させるステップと、
前記主アイコンがタップ操作された場合に、前記コンピューターが、前記少なくとも二つのステップに基づいて、前記コンピューターの画面に、前記乳幼児の睡眠状態の多さの程度を示す第１インジケーターを備えた第１アイコン、前記乳幼児の笑っている状態の多さの程度を示す第２インジケーターを備えた第２アイコン、及び前記乳幼児の動いている状態の多さの程度を示す第３インジケーターを備えた第３アイコンのうちの、前記少なくとも二つのステップに対応する少なくとも二つのアイコンを表示させるステップと、
を備えた育児支援方法であって、
前記主アイコンを表示させるステップにおいて、前記主インジケーターによって示される程度は、前記少なくとも二つのアイコンに備えられた各インジケーターによって示される程度に基づいて決定された程度であることを特徴とする育児支援方法。
【請求項１４】
乳幼児に装着されたセンサーユニットと通信可能な育児支援システムであって、
前記センサーユニットから出力された信号を処理して、前記乳幼児の睡眠状態の多さを評価する第１処理部、前記センサーユニットから出力された信号を処理して、前記乳幼児の笑っている状態の多さを評価する第２処理部、及び前記センサーユニットから出力された信号を処理して、前記乳幼児の動いている状態の多さを評価する第３処理部のうちの、少なくとも二つの処理部と、
コンピューターの画面に、前記乳幼児の気分状態の良さの程度を示す主インジケーターを備えた主アイコンを表示させる処理部と、
前記主アイコンがタップ操作された場合に、前記少なくとも二つの処理に基づいて、前記コンピューターの画面に、前記乳幼児の睡眠状態の多さの程度を示す第１インジケーターを備えた第１アイコン、前記乳幼児の笑っている状態の多さの程度を示す第２インジケーターを備えた第２アイコン、及び前記乳幼児の動いている状態の多さの程度を示す第３インジケーターを備えた第３アイコンのうちの、前記少なくとも二つの処理に対応する少なくとも二つのアイコンを表示させる処理部と、
を備え、
前記主アイコンを表示させる処理部において、前記主インジケーターによって示される程度は、前記少なくとも二つのアイコンに備えられた各インジケーターによって示される程度に基づいて決定された程度であることを特徴とする育児支援システム。
【発明の詳細な説明】
【技術分野】
【０００１】
本発明は、育児支援のために用いられるプログラム、育児支援方法、育児支援システム、及び乳幼児用センサー装置に関する。
【背景技術】
【０００２】
乳幼児は、言葉によるコミュニケーションが不十分であるため、育児に不慣れな者にとっては、乳幼児の状態を知ることが難しい。体の状態をモニタリングする方法としては、対象者の腕等に携帯型フィットネスモニタリングシステムを装着してモニターする方法が特許文献１に記載されており、スマートフォン等の携帯端末と通信させて利用する技術開発が近年進められている。
【先行技術文献】
【特許文献】
【０００３】
【特許文献１】特開２０１０−２６７２６７号
【発明の概要】
【発明が解決しようとする課題】
【０００４】
しかし、このモニタリング方法は、アスリートなどの大人を対象としたものであり、乳幼児を対象として育児に役立てることは困難である。
【０００５】
本発明は、上記のような問題に鑑みてなされたものであって、その目的とするところは、育児を支援することを目的として、乳幼児の状態を知ることができるプログラムを提供することにある。
【課題を解決するための手段】
【０００６】
上記目的を達成するための主たる発明は、
乳幼児に装着されたセンサーユニットと通信可能なコンピューターに、前記センサーユニットから出力された信号を処理して、前記乳幼児の睡眠状態の多さを評価する第１処理、前記センサーユニットから出力された信号を処理して、前記乳幼児の笑っている状態の多さを評価する第２処理、及び前記センサーユニットから出力された信号を処理して、前記乳幼児の動いている状態の多さを評価する第３処理のうちの、少なくとも二つの処理と、前記コンピューターの画面に、前記乳幼児の気分状態の良さの程度を示す主インジケーターを備えた主アイコンを表示させる処理と、前記主アイコンがタップ操作された場合に、前記少なくとも二つの処理に基づいて、前記コンピューターの画面に、前記乳幼児の睡眠状態の多さの程度を示す第１インジケーターを備えた第１アイコン、前記乳幼児の笑っている状態の多さの程度を示す第２インジケーターを備えた第２アイコン、及び前記乳幼児の動いている状態の多さの程度を示す第３インジケーターを備えた第３アイコンのうちの、前記少なくとも二つの処理に対応する少なくとも二つのアイコンを表示させる処理と、を実行させるプログラムであって、前記主アイコンを表示させる処理において、前記主インジケーターによって示される程度は、前記少なくとも二つのアイコンに備えられた各インジケーターによって示される程度に基づいて決定された程度であることを特徴とするプログラムである。
本発明の他の特徴については、本明細書及び添付図面の記載により明らかにする。
【発明の効果】
【０００７】
乳幼児が「楽しい、幸せ」と感じることが脳の発達を促すとも考えられており、一般的に、よく眠り、よく笑い、よく遊ぶことが乳幼児の身体の成長にも脳の成長にもよいとされている。しかし、これらはいずれか一つが多い状態というのは好ましくなく、バランスよく睡眠、笑い、遊びを行うことが好ましい。
このようなプログラムによれば、乳幼児の気分状態を少なくとも二つ以上のインジケーターで示された値に基づいて示すため、信頼性の高い評価を行うことができる。
【図面の簡単な説明】
【０００８】
【図１】本実施形態に係る育児支援システム１を説明する図である。
【図２】乳幼児用センサー装置２の装着部材１０とセンサーユニット２０の概略斜視図である。
【図３】端末３の機能上の構成を示すブロック図である。
【図４】乳幼児の気分状態を示す流れを表すフローチャート図である。
【図５】端末３のログイン画面５００を説明する図である。
【図６】メイン画面５１０を説明する図である。
【図７】ＨＡＰＰＩＮＥＳＳ画面５２０を説明する図である。
【図８】ＨＥＡＬＴＨ画面５３０を説明する図である。
【図９】その他の実施形態にかかるＨＡＰＰＩＮＥＳＳ画面５１１を説明する図である。
【発明を実施するための形態】
【０００９】
本明細書及び添付図面の記載により、少なくとも以下の事項が明らかとなる。
乳幼児に装着されたセンサーユニットと通信可能なコンピューターに、前記センサーユニットから出力された信号を処理して、前記乳幼児の睡眠状態の多さを評価する第１処理、前記センサーユニットから出力された信号を処理して、前記乳幼児の笑っている状態の多さを評価する第２処理、及び前記センサーユニットから出力された信号を処理して、前記乳幼児の動いている状態の多さを評価する第３処理のうちの、少なくとも二つの処理と、前記コンピューターの画面に、前記乳幼児の気分状態の良さの程度を示す主インジケーターを備えた主アイコンを表示させる処理と、前記主アイコンがタップ操作された場合に、前記少なくとも二つの処理に基づいて、前記コンピューターの画面に、前記乳幼児の睡眠状態の多さの程度を示す第１インジケーターを備えた第１アイコン、前記乳幼児の笑っている状態の多さの程度を示す第２インジケーターを備えた第２アイコン、及び前記乳幼児の動いている状態の多さの程度を示す第３インジケーターを備えた第３アイコンのうちの、前記少なくとも二つの処理に対応する少なくとも二つのアイコンを表示させる処理と、を実行させるプログラムであって、前記主アイコンを表示させる処理において、前記主インジケーターによって示される程度は、前記少なくとも二つのアイコンに備えられた各インジケーターによって示される程度に基づいて決定された程度であることを特徴とするプログラム。
【００１０】
乳幼児が「楽しい、幸せ」と感じることが脳の発達を促すとも考えられており、一般的に、よく眠り、よく笑い、よく遊ぶことが乳幼児の体の成長にも脳の成長にもよいとされている。しかし、これらはいずれか一つが多い状態というのは好ましくなく、バランスよく睡眠、笑い、遊びを行うことが好ましい。
このようなプログラムによれば、乳幼児の気分状態を少なくとも二つ以上のインジケーターで示された値に基づいて示すため、信頼性の高い評価を行うことができる。
【００１１】
かかるプログラムであって、前記少なくとも二つの処理は、前記第１処理、前記第２処理、及び前記第３処理であり、前記少なくとも二つのアイコンは、前記第１アイコン、前記第２アイコン、及び前記第３アイコンであり、前記主アイコンを表示させる処理において、前記主インジケーターによって示される程度は、前記第１インジケーターによって示される程度、前記第２インジケーターによって示される程度、及び前記第３インジケーターによって示される程度に基づいて決定された程度である、ことが望ましい。
【００１２】
このようなプログラムによれば、乳幼児の気分状態の良さの程度は、乳幼児の睡眠状態の多さの程度と笑っている状態の多さの程度のみならず、動いている状態の多さの程度にも基づいて決定され、その結果が画面上で主インジケーターによって示されるため、より信頼性の高い評価を得ることができる。
また、利用者に対して、主インジケーターによって示される乳幼児の気分状態をより良くすべく、乳幼児を動かすようにするための動機づけが発生する。
例えば、乳幼児の動いている状態が少ないと示されると、利用者は、生後間もない乳幼児であれば抱っこしてあやしたり、捕まり立ちができる乳幼児であれば手を持って歩かせたりするなど、利用者が乳幼児と遊ぶきっかけとすることができる。このように、乳幼児の気分状態を知ることで、乳幼児と接する動機づけとすることができ、利用者の育児に役立てることができる。
【００１３】
かかるプログラムであって、前記コンピューターの画面のうち、前記主アイコンを表示させる画面、又は前記第１アイコンと前記第２アイコンと前記第３アイコンのうちの少なくとも二つのアイコンを表示させる画面の、少なくとも一つの画面に、前記乳幼児を写した写真を表示させる、ことが望ましい。
【００１４】
このようなプログラムによれば、利用者が好む写真を表示させることで、このプログラムを使用する楽しみを増やすことができる。
【００１５】
かかるプログラムであって、前記コンピューターの画面のうち、前記主アイコンを表示させる画面、及び前記第１アイコンと前記第２アイコンと前記第３アイコンのうちの少なくとも二つのアイコンを表示させる画面に、前記乳幼児を写した写真を表示させる、ことが望ましい。
【００１６】
このようなプログラムによれば、利用者が好む写真をより多く表示させることで、利用者が親近感を持ち、このプログラムを使用する楽しみをより増やすことができる。
【００１７】
かかるプログラムであって、前記第２処理と前記第３処理が同時に実行されており、前記第２処理によって評価された前記乳幼児が笑っている状態の多さに応じて、前記第３処理に基づいて表示した前記第３インジケーターの値を変化させる、ことが望ましい。
【００１８】
乳幼児にとっては、動いている量が同じ場合は、笑いながら動いている状態と、笑うことなく動いている状態とを比べると、笑いながら動いている状態の方が楽しいと感じており、その動いている状態はより良い気分状態である。
このようなプログラムによれば、乳幼児の動きが笑いを伴うものである場合は、その動きが乳幼児にとって好ましいものだと利用者に認識させることができる。
【００１９】
かかるプログラムであって、前記コンピューターに、前記センサーユニットから出力された信号を処理して、前記乳幼児の笑っている状態の声を前記コンピューターに保存させる処理と、前記コンピューターの画面に前記主アイコンを表示させる前に、ログイン画面を表示させる処理を実行させ、前記ログイン画面には、ログインのために必要な情報を入力する入力部と、所定の図柄が表されたアイコンが表示され、前記ログイン画面の前記入力部に前記情報が入力され、前記図柄が表されたアイコンがタップ操作されると、前記コンピューターに、前記主アイコンを表示させて、前記乳幼児の笑っている状態の声を再生させる処理を実行させる、ことが望ましい。
【００２０】
このようなプログラムによれば、ログイン時に、乳幼児の笑っている声を聞くことができ、このプログラムを使用する楽しみを増やすことができる。
【００２１】
かかるプログラムであって、前記図柄は、前記乳幼児が使用する吸収性物品に関連付けられたキャラクターを表したものであり、前記コンピューターに、前記ログイン画面において、前記キャラクターを表したアイコン、前記入力部、及び前記乳幼児の写真を表示させる処理を実行させる、ことが望ましい。
【００２２】
このようなプログラムによれば、利用者が好む乳幼児の写真とキャラクターを同じ画面に表示させることで、キャラクターにも親しみを感じてもらえるようにすることができる。
【００２３】
かかるプログラムであって、前記センサーユニットは、マイクを備えており、前記マイクから出力された信号が所定の条件を満たした場合に、前記乳幼児の笑っている状態の声を再保存することとし、前記再保存後に、前記ログイン画面の前記図柄のアイコンがタップ操作された場合には、前記コンピューターに、前記再保存した前記乳幼児の笑っている状態の声を再生させる処理を実行させる、ことが望ましい。
【００２４】
このようなプログラムによれば、より楽しそうな乳幼児の笑い声を保存することができるため、利用者は、このプログラムを使用する楽しみを更に増やすことができる。
【００２５】
かかるプログラムであって、前記センサーユニットは、加速度計及びマイクを備えており、前記加速度計から出力された信号を処理して、前記乳幼児の睡眠状態の多さを評価する前記第１処理と、前記加速度計及びマイクから出力された信号を処理して、前記乳幼児の笑っている状態の多さを評価する前記第２処理と、前記加速度計から出力された信号を処理して、前記乳幼児の動いている状態の多さを評価する前記第３処理を、前記コンピューターに実行させる、ことが望ましい。
【００２６】
このようなプログラムによれば、乳幼児の睡眠状態と動いている状態は、加速度計からの信号を処理して評価し、乳幼児の笑っている状態は、マイクからの信号のみならず加速度計からの信号を処理して評価するから、マイクからの信号のみを処理して笑っている状態を評価する場合に比べて、笑っている状態をより多様に評価することが可能となる。例えば、加速度計で乳幼児が起きている状態を確認したときだけマイクからの信号を処理したり、マイクから出力された信号レベルが同じであっても加速度計からの信号が大きいほどよく笑っていると評価したりすることが可能となる。
【００２７】
かかるプログラムであって、前記第１処理は、前記乳幼児の睡眠状態の多さを、所定時間内における、前記乳幼児の睡眠状態の時間に基づいて評価する処理であり、前記第２処理は、前記乳幼児の笑っている状態の多さを、前記所定時間から前記乳幼児の睡眠状態の時間を除いた時間内における、前記乳幼児の笑っている時間に基づいて評価する処理である、ことが望ましい。
【００２８】
乳幼児が睡眠状態であっても睡眠状態でなくても、主インジケーターを用いて、乳幼児の気分の良さの程度を適切に示す必要がある。
そのために、まず、乳幼児が睡眠状態である場合には、眠っていれば気分が良いとの考えに基づき、乳幼児の睡眠状態の多さを、所定時間内における、乳幼児の睡眠状態の時間に基づいて評価し、その程度を第１インジケーターにて示すこととした。
次に、乳幼児が睡眠状態でない場合には、笑っていれば気分が良いとの考えに基づき、乳幼児の笑っている状態の多さを、所定時間から乳幼児の睡眠状態の時間を除いた時間内における、乳幼児の笑っている時間に基づいて評価し、その程度を第２インジケーターにて示すこととした。
【００２９】
かかるプログラムであって、前記コンピューターの画面に、前記乳幼児の気分状態の良さの程度を示す前記主インジケーターを備えた前記主アイコンとともに、前記乳幼児の健康状態の良さの程度を示すインジケーターを備えたアイコンと、前記乳幼児の安全状態の良さの程度を示すインジケーターを備えたアイコンとを表示させる処理を前記コンピューターに実行させる、ことが望ましい。
【００３０】
このようなプログラムによれば、利用者は、ログイン後に、乳幼児の気分状態の良さ、健康状態の良さ、安全状態の良さを、一つの画面で視覚的に知ることができる。
【００３１】
かかるプログラムであって、前記ログイン後に表示された画面のアイコンの数と、前記主アイコンのタップ操作後に表示された画面のアイコンの数は同じであり、前記ログイン後に表示された画面のアイコンの配置と、前記主アイコンのタップ操作後に表示されたときに画面のアイコンの配置は異なる、ことが望ましい。
【００３２】
このようなプログラムによれば、利用者は、タップ操作の前後で同じ数のアイコンが表示されることとなるため、視覚的にまとまりが良く感じ、さらに、主アイコンのタップ操作前後でアイコンの配置が異なるため、画面が変わったことを認識しやすくなり、誤操作を減らすことができる。
【００３３】
乳幼児に装着されたセンサーユニットの検知結果を用いて、前記乳幼児の睡眠状態の多さを評価する第１ステップ、前記センサーユニットの検知結果を用いて、前記乳幼児の笑っている状態の多さを評価する第２ステップ、及び前記センサーユニットの検知結果を用いて、前記乳幼児の動いている状態の多さを評価する第３ステップのうちの、少なくとも二つのステップと、前記センサーユニットと通信可能なコンピューターの画面に、前記乳幼児の気分状態の良さの程度を示す主インジケーターを備えた主アイコンを表示させるステップと、前記主アイコンがタップ操作された場合に、前記少なくとも二つのステップに基づいて、前記コンピューターの画面に、前記乳幼児の睡眠状態の多さの程度を示す第１インジケーターを備えた第１アイコン、前記乳幼児の笑っている状態の多さの程度を示す第２インジケーターを備えた第２アイコン、及び前記乳幼児の動いている状態の多さの程度を示す第３インジケーターを備えた第３アイコンのうちの、前記少なくとも二つのステップに対応する少なくとも二つのアイコンを表示させるステップと、を備えた育児支援方法であって、前記主アイコンを表示させるステップにおいて、前記主インジケーターによって示される程度は、前記少なくとも二つのアイコンに備えられた各インジケーターによって示される程度に基づいて決定された程度である、ことが望ましい。
【００３４】
このような育児支援方法によれば、乳幼児の気分状態を少なくとも二つ以上のインジケーターで示された値に基づいて示すため、信頼性の高い評価を行うことができる。
【００３５】
また、乳幼児に装着されたセンサーユニットと通信可能な育児支援システムであって、前記センサーユニットから出力された信号を処理して、前記乳幼児の睡眠状態の多さを評価する第１処理部、前記センサーユニットから出力された信号を処理して、前記乳幼児の笑っている状態の多さを評価する第２処理部、及び前記センサーユニットから出力された信号を処理して、前記乳幼児の動いている状態の多さを評価する第３処理部のうちの、少なくとも二つの処理部と、前記コンピューターの画面に、前記乳幼児の気分状態の良さの程度を示す主インジケーターを備えた主アイコンを表示させる処理部と、前記主アイコンがタップ操作された場合に、前記少なくとも二つの処理に基づいて、前記コンピューターの画面に、前記乳幼児の睡眠状態の多さの程度を示す第１インジケーターを備えた第１アイコン、前記乳幼児の笑っている状態の多さの程度を示す第２インジケーターを備えた第２アイコン、及び前記乳幼児の動いている状態の多さの程度を示す第３インジケーターを備えた第３アイコンのうちの、前記少なくとも二つの処理に対応する少なくとも二つのアイコンを表示させる処理部と、を備え、前記主アイコンを表示させる処理部において、前記主インジケーターによって示される程度は、前記少なくとも二つのアイコンに備えられた各インジケーターによって示される程度に基づいて決定された程度である、ことが望ましい。
【００３６】
このような育児支援システムによれば、乳幼児の気分状態を少なくとも二つ以上のインジケーターで示された値に基づいて示すため、信頼性の高い評価を行うことができる。
【００３７】
＝＝＝実施形態＝＝＝
＜育児支援システムの構成＞
図１は、本実施形態にかかる育児支援システム１を説明する図である。育児支援システム１は、センサー装置２と端末（コンピューター）３とを含んで構成される。センサー装置２と端末３との通信は、無線または有線によりリアルタイムで行うことができる。
センサー装置２は、乳幼児の手または足に装着され、乳幼児から取得される各種情報を端末３に出力するための装置である。本実施形態において、乳幼児とは、小学校に就学する前の子供をいい、例えば、６歳未満の児をいう。図１では、センサー装置２が乳幼児の手に装着された例を示す。センサー装置２は、「乳幼児用センサー装置」の一例である。
【００３８】
センサー装置２は、装着部材１０及びセンサーユニット２０を含んで構成されている。センサーユニット２０は装着部材１０に対して着脱可能である。図２は、乳幼児用センサー装置２の装着部材１０とセンサーユニット２０の概略斜視図である。
【００３９】
本実施形態において、センサーユニット２０は、加速度センサー（図示せず）、マイク（図示せず）、及び熱センサー（図示せず）を含んでいる。
【００４０】
＜端末３＞
端末３は、センサー装置２から出力された情報を受信し、各種の処理を行い、その結果を表示部３ａに表示させる。端末３は、たとえばスマートフォンやタブレット端末である。端末３は、ダウンロードしたプログラムを実行することで育児支援に関する各種の処理（後述）を実行する。
図３は、端末３の機能上の構成を示すブロック図である。本実施形態の端末３は、制御部３１、記憶部３２、入力部３３、表示部３４、通信部３５、及びスピーカー３６を有している。
【００４１】
制御部３１は、各部間のデータの受け渡しを行うとともに、端末全体の制御を行うものであり、ＣＰＵ（Ｃｅｎｔｒａｌ  Ｐｒｏｃｅｓｓｉｎｇ  Ｕｎｉｔ）が所定のメモリに格納されたプログラムを実行することによって実現される。また、制御部３１は、メイン画面処理部３１１、ＨＡＰＰＩＮＥＳＳ画面処理部３１２、ＨＥＡＬＴＨ画面処理部３１３、ＳＡＦＥＴＹ画面処理部３１４、及び再生部３１５を有している。ＨＡＰＰＩＮＥＳＳ画面処理部３１２は、第１処理部３１２ａ、第２処理部３１２ｂ、第３処理部３１２ｃを有しており、それぞれセンサーユニット２０から出力された信号の処理を行う。ＨＥＡＬＴＨ画面処理部３１３、ＳＡＦＥＴＹ画面処理部３１４も同様に、第１１処理部３１３ａ、第１２処理部３１３ｂ、第１３処理部３１３ｃ、第２１処理部３１４ａ、第２２処理部３１４ｂ、第２３処理部３１４ｃを有している。
【００４２】
記憶部３２は、写真ＤＢ３２１、及び笑い声ＤＢ３２２を有している。
写真ＤＢ３２１には、乳幼児の写真データが格納されている。
笑い声ＤＢ３２２には、乳幼児の笑い声が保存された音声データが格納されている。
【００４３】
入力部３３は、端末３を操作する使用者（以下、単に「使用者」という。）が入力するものであり、タッチパネルのタップ操作により実現される。
表示部３４は、制御部３１からの指令に基づいて各種の情報を表示する画面である。
通信部３５は、センサーユニット２０と通信を行い、信号を受信する受信部としての機能を有している。
スピーカー３６は、再生部３１５の処理により、笑い声ＤＢ３２２に格納された乳幼児の笑い声を発するものである。
【００４４】
（乳幼児の気分状態）
図４は、乳幼児の気分状態を示す流れを表すフローチャート図である。図５は、ログイン画面５００を説明する図である。まず、端末３のプログラムを起動させると、表示部３ａに、写真部５０１、ＰＷ入力部５０２、及びログインアイコン５０３が示されたログイン画面５００が表示される。写真部５０１には、写真ＤＢ３２１の中から使用者が選択した乳幼児の写真が表示される。ＰＷ入力部５０２は、ログインのために必要なパスワード等の情報を入力する。そして、使用者がログインアイコン５０３をタップすると、制御部３１はログイン処理を行う（Ｓ１）。このとき、ログインアイコン５０３の図柄を、乳幼児が使用するおむつ等の吸収性物品のイメージキャラクターを描いたものにすることで、使用者が愛情を感じている乳幼児の写真とイメージキャラクターとが一緒に表示されるため、イメージキャラクターにも親しみを持ち、好意を感じやすくなる。
【００４５】
ログイン処理がされると、再生部３１５は、笑い声ＤＢ３２２に格納された乳幼児の笑い声をスピーカー３６で再生する（Ｓ２）。これにより、使用者は、ログインを行う度に乳幼児の笑っている声を聞くことができるため、ログイン時の楽しみを増やすことができる。
【００４６】
なお、笑い声ＤＢ３２２に保存されている乳幼児の笑い声は、自動で再保存されることが好ましい。再保存は、より楽しそうな笑い声であることを検知した場合に行うこととし、マイクから出力された信号が、音量や周波数などの条件を満たしている場合に、笑い声を録音する。一般的に、笑い声は、通常より音量が大きくなり、周波数が高くなるといえる。そこで、例えば、あるしきい値より大きな音量の笑い声を検知した場合や、あるしきい値より高い周波数を所定期間内のうち一定の割合以上の時間だけ検知した場合、等の条件で、乳幼児の笑い声を再保存するなどの設定を行うとよい。これにより、使用者は、ログイン時に、より楽しそうな乳幼児の笑い声を聞くことができ、ログイン時の楽しみを一層増やすことができる。
【００４７】
そして、メイン画面５１０が表示される（Ｓ３）。図６は、メイン画面５１０を説明する図である。メイン画面５１０には、画面中央にＨＡＰＰＩＮＥＳＳアイコン（主アイコン）５１１、ＨＥＡＬＴＨアイコン５１２、ＳＡＦＥＴＹアイコン５１３、画面左上に乳幼児の写真を表示する写真部５１４、画面右上に乳幼児の体温を表示する体温表示部５１５、画面下部に通信設定を行う通信設定部５１６、乳幼児の誕生日や体重等を設定する個人情報設定部５１７、乳幼児の写真を選択する写真選択部５１８、ＳＮＳ等のコミュニケーションツールへの接続設定を行うＳＮＳ設定部５１９のアイコンが表示される。メイン画面５１０は、使用者がログイン後にすぐに見る画面であり、この一つの画面を見れば乳幼児の状態の概略を視覚的に知ることができる。
【００４８】
ＨＡＰＰＩＮＥＳＳアイコン５１１は、乳幼児の気分状態を示すアイコンであり、乳幼児が「楽しい、幸せ」と感じている状態を表示するものである。ＨＥＡＬＴＨアイコン５１２は、乳幼児の健康状態を示すアイコンであり、健やかさを表示するものである。ＳＡＦＥＴＹアイコン５１３は、乳幼児の安全状態を示すアイコンであり、乳幼児に危険が迫っている場合に注意を促すものである。このとき、各アイコンの形状は、角のない形状で、特に円形が好ましい。視覚的に親しみや安心を与えるという効果があるためである。
【００４９】
また、写真部５１４に愛情を感じている乳幼児の写真を表示することで、使用者に、センサー装置２を装着している乳幼児を認識させ、使用者に楽しい気持ちをより一層与えることができる。
【００５０】
メイン画面５１０のＨＡＰＰＩＮＥＳＳアイコン５１１をタップすると、ＳＬＥＥＰアイコン（第１アイコン）５２１、ＬＡＵＧＨＴＥＲアイコン（第２アイコン）５２２、ＡＣＴＩＶＩＴＹアイコン（第３アイコン）５２３、写真部５２４を有する、ＨＡＰＰＩＮＥＳＳ画面５２０が表示される（Ｓ４）。図７は、ＨＡＰＰＩＮＥＳＳ画面５２０を説明する図である。このとき、アイコンは、メイン画面５１０のアイコンと同じ配置で表示されており、形についても角を有さない円形が好ましい。使用者は、この配置と形状によって、視覚的に画面のまとまりを感じさせることができ、また、円形のアイコンにより親しみや安心を感じることができる。
【００５１】
乳幼児が「楽しい、幸せ」と感じると脳の発達を促すと考えられている。本実施形態においては、乳幼児がＨＡＰＰＩＮＥＳＳ（幸せ）に感じることを、ＳＬＥＥＰ（睡眠）、ＬＡＵＧＨＴＥＲ（笑い）、ＡＣＴＩＶＩＴＹ（活動）で表している。一般的に、乳幼児は、よく寝て、よく笑い、よく遊ぶとご機嫌になり、健やかに育つと考えられるからである。また、体の発達や脳の発達にいい影響を与えると考えられているからである。
【００５２】
メイン画面５１０と同様に、画面左上に乳幼児の写真を表示した写真部５２４表示することで、愛情を感じている乳幼児の写真が一緒に表示され、使用者に親近感を与えることができる。
【００５３】
ＳＬＥＥＰアイコン５２１は、乳幼児の睡眠時間の多さを表示するためのアイコンである。第１処理部３１２ａは、センサーユニット２０の加速度センサーで検知した信号を、通信部３５が受信して、乳幼児の睡眠時間を判断する第１処理を行う（Ｓ５１）。このとき、第１処理部３１２ａは、乳幼児が動いていない時間を睡眠時間として算出する。なお、加速度センサーとマイクを併用して、乳幼児の寝息をマイクで集音することで、睡眠時間を判断することとしてもよい。
【００５４】
続いて、ＨＡＰＰＩＮＥＳＳ画面処理部３１２は、第１処理で得た乳幼児の睡眠時間の多さをＳＬＥＥＰインジケーター（第１インジケーター）５２１ａで表示する（Ｓ６１）。ＳＬＥＥＰインジケーター５２１ａは、ＳＬＥＥＰアイコン５２１の外周の一部分又は全部を示すもので、睡眠時間が多いほど時計回りに増加して、直近２４時間中の睡眠時間を示している。ＳＬＥＥＰアイコン５２１の周りを一周囲むと２４時間（１００％）の睡眠時間となるように設定する。例えば、現在午前８時である場合、昨日の午前８時から現在までの間に、乳幼児が１２時間眠ったとすると、１２時間／２４時間＝５０％となり、ＳＬＥＥＰインジケーター５２１ａは、ＳＬＥＥＰアイコン５２１の外周の５０％の範囲を示す。
【００５５】
乳幼児にとって、よい睡眠は幸せな時間であり、気分が良いと感じる状態である。この睡眠時間は、継続した睡眠でも、細切れの睡眠でもよく、全てを合計する。使用者は、ＳＬＥＥＰインジケーター５２１ａの値を見ることで、「睡眠時間が少ない」等の状態を知るきっかけとなり、積極的にお昼寝を増やす等の動機づけとすることができる。
【００５６】
ＬＡＵＧＨＴＥＲアイコン５２２は、乳幼児が笑っている状態の多さを表示するためのアイコンである。第２処理部３１２ｂは、センサーユニット２０の加速度センサー及びマイクで検知した信号を、通信部３５で受信して、乳幼児が笑っている時間を判断する第２処理を行う（Ｓ５２）。このとき、第２処理部３１２ｂは、加速度センサーによる信号で乳幼児が起きている時間であることを条件に、マイクによる信号の周波数を解析することによって笑っている状態の時間を算出することとする。
【００５７】
続いて、ＨＡＰＰＩＮＥＳＳ画面処理部３１２は、第２処理で得た乳幼児の笑っている状態の時間の多さをＬＡＵＧＨＴＥＲインジケーター（第２インジケーター）５２２ｂで表示する（Ｓ６２）。ＬＡＵＧＨＴＥＲインジケーター５２２ｂは、笑っている状態の時間が多いほど時計回りに増加するものとし、乳幼児が起きている時間中にどれだけの時間笑っている状態かの割合を示すこととする。第１処理により乳幼児の睡眠時間はＳＬＥＥＰインジケーター５２１ａで示されており、この睡眠時間は、乳幼児にとって気分がよい状態と考えられるため、起きている時間中の乳幼児が「楽しい、幸せ」と感じる時間は、笑っている状態の時間と考えられることに基づくものである。つまり、ＬＡＵＧＨＴＥＲインジケーター５２２ｂは、直近２４時間中に乳幼児が起きていた時間を１００％として、起きている時間中の乳幼児が笑っている時間の割合を、ＬＡＵＧＨＴＥＲアイコン５２２の周りを囲んで示すものである。例えば、第１処理で直近２４時間における乳幼児の睡眠時間を１２時間と算出し、そのうち乳幼児が起きている時間内に笑っていた時間が３時間だったとすると、３時間／（２４時間−１２時間）＝２５％となり、ＬＡＵＧＨＴＥＲインジケーター５２２ｂは、ＬＡＵＧＨＴＥＲアイコン５２２の外周の２５％の範囲を示す。
【００５８】
笑っている状態の時間についても、継続した時間でも、細切れの時間でもよく、全ての時間を合計する。使用者は、ＬＡＵＧＨＴＥＲインジケーター５２２ｂが示す指標を見ることで、「笑っている状態が少ない」等の状態を知るきっかけになり、使用者に乳幼児と一緒に遊ぶ等の動機づけとすることができる。
【００５９】
本実施形態においては、マイク及び加速度センサーからの信号を用いることとしたが、マイクのみでもよい。しかし、マイクと加速度センサーを併用することで、マイクから出力された信号レベルが同じ場合であっても、加速度センサーからの信号が大きいときほどよく笑っている判断することができる等の多様な評価が可能となる。
【００６０】
ＡＣＴＩＶＩＴＹアイコン５２３は、乳幼児が動いている状態の多さを表すためのアイコンである。第３処理部３１２ｃは、センサーユニット２０の加速度センサーで検知した信号を、通信部３５が受信して、乳幼児が動いている時間を判断する第３処理を行う（Ｓ５３）。
【００６１】
続いて、ＨＡＰＰＩＮＥＳＳ画面処理部３１２は、第３処理で得た乳幼児の動いている状態の運動量の多さをＡＣＴＩＶＩＴＹインジケーター（第３インジケーター）５２３ｃで表示する（Ｓ６３）。ＡＣＴＩＶＩＴＹインジケーター５２３ｃは、運動量が多いほど時計回りに増加するものとし、直近２４時間中の運動量を表示するものである。歩くことのできない赤ちゃんであれば『たかいたかい』をしてあげたり、つかまり立ちができる乳幼児であれば一緒に歩く練習をしてあげたりするなどにより、運動量が増える。例えば、直近２４時間中に、体重５ｋｇの乳幼児を０．５ｍの高さだけ『たかいたかい』を１０回したとすると、５ｋｇ×０．５ｍ×１０回＝２５ｋｇ・ｍの運動量となる。ＡＣＴＩＶＩＴＹインジケーター５２３ｃが、ＡＣＴＩＶＩＴＹアイコン５２３の周りを一周囲むと１００ｋｇ・ｍ（１００％）の運動量となるように設定すると、ＡＣＴＩＶＩＴＹインジケーター５２３ｃは、ＡＣＴＩＶＩＴＹアイコン５２３の２５％までを示すこととなる。
【００６２】
このように、使用者は、ＡＣＴＩＶＩＴＹインジケーター５２３ｃが示す指標を見ることで、「動いている状態が少ない」等を知るきっかけになり、使用者と乳幼児が触れ合う動機づけとすることができる。
【００６３】
また、乳幼児が遊びながら笑っている場合には、第２処理と第３処理が同時に行われており、乳幼児にとってその動き（遊び）は楽しいもので、相乗的に乳幼児を幸せな気分にさせるものと考えられる。このような場合には、ＨＡＰＰＩＮＥＳＳ画面処理部３１２は、ＡＣＴＩＶＩＴＹインジケーター５２３ｃの示す値を、通常の第３処理だけで示す値より大きな値を示すこととしてもよい。例えば、通常の運動量が示す値の１．２倍とする等の設定を行うことができる。これにより、使用者は、乳幼児にとって好ましいと考えられる動きを認識することができ、一緒に遊ぶきっかけにすることができる。
【００６４】
メイン画面処理部３１１は、ＨＡＰＰＩＮＥＳＳ画面５２０で表示した各インジケーター５２１ａ、５２２ｂ、５２３ｃが示す値から算出して、メイン画面５１０のＨＡＰＰＩＮＥＳＳアイコン５１１の外周にＨＡＰＰＩＮＥＳＳインジケーター（主インジケーター）５１１ａを表示する（Ｓ７）。例えば、ＳＬＥＥＰインジケーター５２１ａがＳＬＥＥＰアイコン５２１の外周の５０％、ＬＡＵＧＨＴＥＲインジケーター５２２ｂがＬＡＵＧＨＴＥＲアイコン５２２の外周の２５％、ＡＣＴＩＶＩＴＹインジケーター５２３ｃがＡＣＴＩＶＩＴＹアイコン５２３の外周の２５％を示している場合には、（５０％＋２５％＋２５％）×１／３≒約３３％となり、ＨＡＰＰＩＮＥＳＳインジケーター５１１ａは、ＨＡＰＰＩＮＥＳＳアイコン５１１の外周の約３３％の範囲を示す。
【００６５】
これにより、乳幼児の睡眠、笑い、活動の３つの指標を用いて乳幼児の気分状態を可視的に表すことができ、使用者は、メイン画面５１０を見ることで、乳幼児の気分状態を知ることができる。特に、乳幼児の気分状態は、「睡眠」、「笑い」だけでなく、「活動」を含めて３つの指標がバランスのよい状態であることが好ましいところ、ＨＡＰＰＩＮＥＳＳインジケーター５１１ａは、各インジケーター５２１ａ、５２２ｂ、５２３ｃが示す値に基づいて示す値であるため、乳幼児の気分状態について信頼性の高い評価を得ることができる。
【００６６】
（乳幼児の健康状態及び安全状態）
次に、図６、及び８を参照しつつ、乳幼児の健康状態と安全状態を示す流れの概略を説明する。図８は、ＨＥＡＬＴＨ画面５３０を説明する図である。
乳幼児に装着されたセンサーユニット２０と通信可能な端末３に、センサーユニット２０から出力された信号を処理して、乳幼児の体温を評価する第１１処理、センサーユニット２０から出力された信号を処理して、乳幼児の心拍数を評価する第１２処理、及びセンサーユニット２０から出力された信号を処理して、乳幼児のおむつ交換の頻度を評価する第１３処理のうちの、少なくとも二つの処理と、端末３の画面に、乳幼児の健康状態の良さの程度を示すＨＥＡＬＴＨインジケーター５１２ｂを備えたＨＥＡＬＴＨアイコン５１２を表示させる処理と、ＨＥＡＬＴＨアイコン５１２がタップ操作された場合に、少なくとも二つの処理に基づいて、端末３の画面に、乳幼児の体温を示すＴＥＭＰＥＲＡＴＵＲＥインジケーター５３１ａを備えたＴＥＭＰＥＲＡＴＵＲＥアイコン５３１、乳幼児の心拍数を示すＨＥＡＲＴＢＥＡＴインジケーター５３２ｂを備えたＨＥＡＲＴＢＥＡＴアイコン５３２、及び乳幼児のおむつ交換の頻度を示すＤＩＡＰＥＲ  ＣＨＡＮＧＥＳインジケーター５３３ｃを備えたＤＩＡＰＥＲ  ＣＨＡＮＧＥＳアイコン５３３のうちの、少なくとも二つの処理に対応する少なくとも二つのアイコンを表示させる処理と、を実行させるプログラムであって、ＨＥＡＬＴＨアイコン５１２を表示させる処理において、ＨＥＡＬＴＨインジケーター５１２ｂによって示される程度は、少なくとも二つのアイコンに備えられた各インジケーター５３１ａ、５３２ｂ、５３３ｃによって示される程度に基づいて決定された程度である。
【００６７】
少なくとも二つの処理は、第１１処理、第１２処理、及び第１３処理であり、少なくとも二つのアイコンは、ＴＥＭＰＥＲＡＴＵＲＥアイコン５３１、ＨＥＡＲＴＢＥＡＴアイコン５３２、及びＤＩＡＰＥＲ  ＣＨＡＮＧＥＳアイコン５３３であり、ＨＥＡＬＴＨアイコン５１２を表示させる処理において、ＨＥＡＬＴＨインジケーター５１２ｂによって示される程度は、ＴＥＭＰＥＲＡＴＵＲＥインジケーター５３１ａによって示される程度、ＨＥＡＲＴＢＥＡＴインジケーター５３２ｂによって示される程度、及びＤＩＡＰＥＲ  ＣＨＡＮＧＥＳインジケーター５３３ｃによって示される程度に基づいて決定された程度であることが好ましい。
【００６８】
また、第１３処理は、ＤＩＡＰＥＲ  ＣＨＡＮＧＥＳアイコン５３３のタップ操作の回数を、乳幼児のおむつ交換を行った回数として評価する処理であることが好ましい。
【００６９】
乳幼児のおむつ交換が所定時間行われなかったと判定した場合に、第１３処理に基づいて表示したＤＩＡＰＥＲ  ＣＨＡＮＧＥＳインジケーター５３３ｃの値を変化させる処理を、端末３に実行させることが好ましい。
【００７０】
乳幼児のおむつ交換が所定時間行われなかったと判定した場合であって、センサーユニットから出力された信号を処理して、乳幼児が泣いている状態であると判定した場合は、ＳＡＦＥＴＹインジケーター５１３ｃを備えたＳＡＦＥＴＹアイコン５１３を用いて警告表示させる処理を、端末３に実行させることが好ましい。
【００７１】
さらに、第１３処理によって評価された乳幼児のおむつ交換の頻度と無関係に、ＨＡＰＰＩＮＥＳＳインジケーター５１１ａの値を変化させる処理を端末３に実行させることが好ましい。
【００７２】
端末３の画面に、ＨＥＡＬＴＨアイコン５１２、ＴＥＭＰＥＲＡＴＵＲＥアイコン５３１、及びＨＥＡＲＴＢＥＡＴアイコン５３２のいずれのアイコンも表示されていない場合であっても、第１１処理において乳幼児の体温が所定の範囲外と評価された場合、又は、第１２処理において乳幼児の心拍数が所定の範囲外と評価された場合には、端末３の画面に警告表示を行う処理を、端末３に実行させることが好ましい。
【００７３】
＜センサー装置２＞
図１及び２を参照しつつ、センサー装置２の概略構成を説明する。
乳幼児から取得される情報を端末３に出力するためのセンサー装置２は、乳幼児の手または足に装着するための装着部材１０と、情報を取得する少なくとも一つのセンサーを含むセンサーユニット２０とを有し、センサーユニット２０は装着部材１０に対して着脱可能である。
【００７４】
装着部材１０は、センサーユニット２０を収容するための収容部１１を有することが好ましい。
また、収容部１１は、センサーユニット２０を出入するための開口部１２を有し、開口部１２は、収容部１１にセンサーユニット２０を入れた状態で開閉可能となっていることが好ましい。
装着部材１０は、係合可能な一対のベルト部材１４、１５を有し、ベルト部材１４、１５は、乳幼児の手または足のサイズに応じて係合位置が変更可能となっていることが好ましい。
また、装着部材１０は、水洗い可能で、布製であることが好ましい。
【００７５】
装着部材１０の開口部１２の内側には面ファスナー１３ａ、１３ｂが設けられており、開口部１２が面ファスナー１３ａ、１３ｂを用いて閉じられた際に、面ファスナー１３ａ、１３ｂは外部に露出しないことが好ましい。
【００７６】
センサーユニット２０は、外装ケース２１を含み、センサーは、乳幼児の声を収集するマイクを含み、センサーユニット２０の装着部材１０に対する出入方向において、外装ケース２１の、マイクが配置されている側に、穴２１ａが形成されていることが好ましい。
センサーユニット２０は外部に対して所定の警告を行う警告部（図示せず）を含み、警告部は、センサーからの出力が所定時間無い場合に端末３から送信される警告信号に基づいて所定の警告を行うことが好ましい。
【００７７】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００７８】
上述の実施形態では、睡眠時間、笑っている状態の時間、及び動いている状態の時間の３つの指標を用いて乳幼児の気分状態を示すこととしたが、これに限られない。睡眠時間、笑っている状態の時間、動いている状態の時間のいずれか二つを用いて乳幼児の気分状態を示すこととしてもよい。これにより、信頼性の高い評価を行うことができる。
【００７９】
上述の実施形態では、図６及び図７に示すように、メイン画面５１０と、ＨＡＰＰＩＮＥＳＳ画面５２０のアイコンが同じ配置で表示されている。アイコンの配置は、この表示方法に限られない。例えば、図９は、その他の実施形態にかかるＨＡＰＰＩＮＥＳＳ画面５２０を説明する図である。ＨＡＰＰＩＮＥＳＳ画面５２０は、図９のようにメイン画面５１０と異なる配置でもよい。これにより、画面が変わったことを使用者が認識しやすくなり、誤操作を減らすことができる。
【００８０】
また、センサーユニット２０と端末３との通信は、適宜用いることができる。無線パーソナルエリアネットワーク（ＷＰＡＮ）や無線ローカルエリアネットワーク（ＷＬＡＮ）のようなローカルネットワークで直接通信したり、インターネットのような無線広域ネットワーク（ＷＷＡＮ）を用いて通信したりすることとしてもよい。センサーユニット２０とサーバーとをネットワークを介して通信することとして、サーバーが各処理及びデータ管理を行い、端末３を表示画面として用いることとしてもよい。このとき、サーバーと端末３とを合わせてコンピューターとして扱うことができる。これにより、情報量が多くなっても、迅速な処理を可能とする。
【００８１】
また、上記の実施形態は、プログラムが前述した各種の処理をコンピューター又はマイクロプロセッサに実行させることにより実現可能である。この場合、全ての処理をプログラムとして準備していてもよいし、一部の処理をハードウェアに処理させ残りの処理をプログラムとして準備していてもよい。
また、実行可能なプログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【符号の説明】
【００８２】
１  育児支援システム
２  乳児用センサー装置（センサー装置）
３  端末（コンピューター）
１０  装着部材
１１  収容部
１２  開口部
１３ａ、１３ｂ  面ファスナー
１４、１５  ベルト部材
２０  センサーユニット
２１  外装ケース
２１ａ  穴
３１  制御部
３１１  メイン画面処理部
３１２  ＨＡＰＰＩＮＥＳＳ画面処理部
３１２ａ  第１処理部、３１２ｂ  第２処理部、３１２ｃ  第３処理部
３１３  ＨＥＡＬＴＨ画面処理部
３１３ａ  第１１処理部、３１３ｂ  第１２処理部、３１３ｃ  第１３処理部
３１４  ＳＡＦＥＴＹ画面処理部
３１４ａ  第２１処理部、３１４ｂ  第２２処理部、３１４ｃ  第２３処理部
３１５  再生部
３２  記憶部
３２１  写真ＤＢ
３２２  笑い声ＤＢ
３３  入力部
３４  表示部
３５  通信部
３６  スピーカー
５００  ログイン画面
５０１  写真部
５０２  ＰＷ入力部
５０３  ログインアイコン
５１０  メイン画面
５１１  ＨＡＰＰＩＮＥＳＳアイコン（主アイコン）
５１１ａ  ＨＡＰＰＩＮＥＳＳインジケーター（主インジケーター）
５１２  ＨＥＡＬＴＨアイコン
５１２ｂ  ＨＥＡＬＴＨインジケーター
５１３  ＳＡＦＥＴＹアイコン
５１３ｃ  ＳＡＦＥＴＹインジケーター
５１４  写真部
５１５  体温表示部
５２０  ＨＡＰＰＩＮＥＳＳ画面
５２１  ＳＬＥＥＰアイコン（第１アイコン）
５２１ａ  ＳＬＥＥＰインジケーター（第１インジケーター）
５２２  ＬＡＵＧＨＴＥＲアイコン（第２アイコン）
５２２ｂ  ＬＡＵＧＨＴＥＲインジケーター（第２インジケーター）
５２３  ＡＣＴＩＶＩＴＹアイコン（第３アイコン）
５２３ｃ  ＡＣＴＩＶＩＴＹインジケーター（第３インジケーター）
５３１  ＴＥＭＰＥＲＡＴＵＲＥアイコン
５３１ａ  ＴＥＭＰＥＲＡＴＵＲＥインジケーター
５３２  ＨＥＡＲＴＢＥＡＴアイコン
５３２ｂ  ＨＥＡＲＴＢＥＡＴインジケーター
５３３  ＤＩＡＰＥＲ  ＣＨＡＮＧＥＳアイコン
５３３ｃ  ＤＩＡＰＥＲ  ＣＨＡＮＧＥＳインジケーター
【図１】
0006353783.tif 000002
【図２】
0006353783.tif 000003
【図３】
0006353783.tif 000004
【図４】
0006353783.tif 000005
【図５】
0006353783.tif 000006
【図６】
0006353783.tif 000007
【図７】
0006353783.tif 000008
【図８】
0006353783.tif 000009
【図９】
0006353783.tif 000010